(57)【要約】【課題】  音信号処理装置において、低コストで、異なる複数の箇所の信号を同時にモニタできるようにする。【解決手段】  複数のｃｈ（チャンネル）で処理した音信号をミキシングするミキシングバスを複数備える音信号処理装置において、上記ミキシングバスの機能の切り替え指示を受け付け、その切り替え指示に応じて、上記複数のミキシングバスのうち１又は複数の切替ミキシングバスを、上記複数のｃｈの各々からその切替ミキシングバスへの信号送出有無を各ｃｈからその切替ミキシングバスへの信号送出有無の設定に従って制御する通常モード（Ｓ２３）と、複数のｃｈの各々から当該切替ミキシングバスへの信号送出有無を各ｃｈと対応するキュー操作子の操作に従って制御するキューモード（Ｓ１５〜Ｓ２０）とのいずれで動作させるかを切り替えるようにした（Ｓ１２）。【選択図】        図１０
2017188899.tif 000002
【特許請求の範囲】
【請求項１】
複数のチャンネルで処理した音信号をミキシングするミキシングバスを複数備える音信号処理装置の制御方法であって、
前記ミキシングバスの機能の切り替え指示を受け付ける受付手順と、
前記切り替え指示に応じて、前記複数のミキシングバスのうち１又は複数の切替ミキシングバスを、前記複数のチャンネルの各々から当該切替ミキシングバスへの信号送出有無を各チャンネルから当該切替ミキシングバスへの信号送出有無の設定に従って制御する第１モードと、前記複数のチャンネルの各々から当該切替ミキシングバスへの信号送出有無を各チャンネルと対応するキュー操作子の操作に従って制御する第２モードとのいずれで動作させるかを切り替える切替手順とを備えることを特徴とする音信号処理装置の制御方法。
【請求項２】
請求項１に記載の音信号処理装置の制御方法であって、
前記音信号処理装置は、前記複数のミキシングバスの他に、キューバスであって、前記複数のチャンネルの各々から当該キューバスへの信号送出有無を各チャンネルと対応するキュー操作子の操作に従って制御するキューバスを備えることを特徴とする音信号処理装置の制御方法。
【請求項３】
請求項２に記載の音信号処理装置の制御方法であって、
前記各チャンネルについて、前記キュー操作子の操作に従って該チャンネルの信号を出力する場合に該出力を前記キューバスに対して行うか前記切替ミキシングバスに対して行うかを設定する第１設定手順と、
前記切替ミキシングバスを前記第２モードで動作させる場合に、前記各チャンネルからの前記キュー操作子の操作に従った信号の出力先を、前記第１設定手順で行った設定に従って制御する出力制御手順とを備えることを特徴とする音信号処理装置の制御方法。
【請求項４】
請求項２に記載の音信号処理装置の制御方法であって、
前記切替ミキシングバスを前記第２モードで動作させる場合に、前記各チャンネルからの前記キュー操作子の操作に従った信号の出力を、前記キューバスに対して行うか前記切替ミキシングバスに対して行うかを、前記操作されたキュー操作子を前記音信号処理装置が備えるか、前記音信号処理装置の外部にあるリモート制御装置が備えるかに従って制御する出力制御手順を備えることを特徴とする音信号処理装置の制御方法。
【請求項５】
請求項１乃至４のいずれか一項に記載の音信号処理装置の制御方法であって、
前記切替ミキシングバスは、入力チャンネルで処理した音信号と、他のミキシングバスにおいてミキシング済みの音信号であって該ミキシング後に前記入力チャンネルを介さずに供給される音信号と、をさらにミキシングするバスであることを特徴とする音信号処理装置の制御方法。
【請求項６】
請求項１乃至５のいずれか一項に記載の音信号処理装置の制御方法であって、
前記受付手順において、前記ミキシングバスの機能の切り替え指示を、前記複数のミキシングバスのうちの複数グループのミキシングバスについてそれぞれ受け付け、該複数グループはそれぞれ１又は複数の切替ミキシングバスにより構成され、
前記切替手順において、前記各切り替え指示に応じて、該切り替え指示と対応するグループの切替ミキシングバスについて、該切替ミキシングバスを前記第１モードと前記第２モードとのいずれで動作させるかを切り替えることを特徴とする音信号処理装置の制御方法。
【請求項７】
複数のチャンネルで処理した音信号をミキシングするミキシングバスを複数備える音信号処理装置であって、
前記ミキシングバスの機能の切り替え指示を受け付ける受付手段と、
前記切り替え指示に応じて、前記複数のミキシングバスのうち１又は複数の切替ミキシングバスを、前記複数のチャンネルの各々から当該切替ミキシングバスへの信号送出有無を各チャンネルから当該切替ミキシングバスへの信号送出有無の設定に従って制御する第１モードと、前記複数のチャンネルの各々から当該切替ミキシングバスへの信号送出有無を各チャンネルと対応するキュー操作子の操作に従って制御する第２モードとのいずれで動作させるかを切り替える切替手段とを備えることを特徴とする音信号処理装置。
【請求項８】
コンピュータに前記音信号処理装置を制御させて、前記コンピュータに請求項１乃至６のいずれか一項に記載の音信号処理装置の制御方法を実行させるためのプログラム。
【発明の詳細な説明】
【技術分野】
【０００１】
この発明は、キュー機能を備えた音信号処理装置の制御方法及び音信号処理装置、並びに、コンピュータに音信号処理装置を制御させるためのプログラムに関する。
【背景技術】
【０００２】
従来から、デジタルミキサ等の、複数のチャンネル（ｃｈ）で音信号を処理する音信号処理装置において、ユーザがｃｈを任意に選択してそのｃｈの信号をモニタできるようにする機能を設けることが知られている（非特許文献１参照）。このような機能は、キュー機能と呼ばれる。
そして、このキュー機能を設ける場合、モニタ用の音信号を生成するために、キューバスと呼ばれる専用のミキシングバスを設けて、そのキューバスにおいて、ユーザに選択されたｃｈの信号をミキシングした上で、モニタ用の端子にその音信号を出力していた。
【先行技術文献】
【非特許文献】
【０００３】
【非特許文献１】「ＤＩＧＩＴＡＬ  ＭＩＸＩＮＧ  ＣＯＮＳＯＬＥ  ＣＬ５／ＣＬ３／ＣＬ１  リファレンスマニュアル」，ヤマハ株式会社，２０１５年４月
【発明の概要】
【発明が解決しようとする課題】
【０００４】
ところで、従来の音信号処理装置では、キュー機能を専用のキューバスを用いて設けていたため、コストの問題で複数系統のキューバスを設けることが難しく、モニタの用途で出力できる信号は１系統だけであることがしばしばであった。しかし、音信号処理装置を使用する現場では、それだけでは十分でないとの要求があった。
【０００５】
例えば、音楽ライブ等において、ウェッジと呼ばれるモニタ用スピーカとイヤホン等によるＩＥＭ（インイヤーモニタ）を併用する場合に、これらで別々の音をモニタしたい、といった要求や、コンサートホール等において、ＦｏＨ（フロントオブハウス）のエンジニアと舞台袖にいるエンジニアとが別々の音をモニタしたい、といった要求である。
しかしながら、このような要求に応えるために複数系統のキューバスを設けると、コストアップにつながるという問題があった。
【０００６】
この発明は、このような問題を解決し、音信号処理装置において、低コストで、異なる複数の箇所の信号を同時にモニタできるようにすることを目的とする。
【課題を解決するための手段】
【０００７】
上記の目的を達成するため、この発明の音信号処理装置の制御方法は、複数のチャンネルで処理した音信号をミキシングするミキシングバスを複数備える音信号処理装置の制御方法において、上記ミキシングバスの機能の切り替え指示を受け付ける受付手順と、上記切り替え指示に応じて、上記複数のミキシングバスのうち１又は複数の切替ミキシングバスを、上記複数のチャンネルの各々からその切替ミキシングバスへの信号送出有無を各チャンネルからその切替ミキシングバスへの信号送出有無の設定に従って制御する第１モードと、上記複数のチャンネルの各々からその切替ミキシングバスへの信号送出有無を各チャンネルと対応するキュー操作子の操作に従って制御する第２モードとのいずれで動作させるかを切り替える切替手順とを設けたものである。
【０００８】
このような音信号処理装置の制御方法において、上記音信号処理装置が、上記複数のミキシングバスの他に、キューバスであって、上記複数のチャンネルの各々からそのキューバスへの信号送出有無を各チャンネルと対応するキュー操作子の操作に従って制御するキューバスを備えるとよい。
さらに、上記各チャンネルについて、上記キュー操作子の操作に従ってそのチャンネルの信号を出力する場合にその出力を上記キューバスに対して行うか上記切替ミキシングバスに対して行うかを設定する第１設定手順と、上記切替ミキシングバスを上記第２モードで動作させる場合に、上記各チャンネルからの上記キュー操作子の操作に従った信号の出力先を、上記第１設定手順で行った設定に従って制御する出力制御手順とを設けるとよい。
【０００９】
あるいは、上記切替ミキシングバスを上記第２モードで動作させる場合に、上記各チャンネルからの上記キュー操作子の操作に従った信号の出力を、上記キューバスに対して行うか上記切替ミキシングバスに対して行うかを、上記操作されたキュー操作子を上記音信号処理装置が備えるか、上記音信号処理装置の外部にあるリモート制御装置が備えるかに従って制御する出力制御手順を備えるとよい。
【００１０】
また、上記の各音信号処理装置の制御方法において、上記切替ミキシングバスが、入力チャンネルで処理した音信号と、他のミキシングバスにおいてミキシング済みの音信号であってそのミキシング後に上記入力チャンネルを介さずに供給される音信号と、をさらにミキシングするバスであるとよい。
【００１１】
さらに、上記受付手順において、上記ミキシングバスの機能の切り替え指示を、上記複数のミキシングバスのうちの複数グループのミキシングバスについてそれぞれ受け付け、その複数グループはそれぞれ１又は複数の切替ミキシングバスにより構成され、上記切替手順において、上記各切り替え指示に応じて、その切り替え指示と対応するグループの切替ミキシングバスについて、その切替ミキシングバスを上記第１モードと上記第２モードとのいずれで動作させるかを切り替えるとよい。
また、この発明は、上記のように方法として実施する他、システム、装置、プログラム、記録媒体等、任意の態様で実施することができる。
【発明の効果】
【００１２】
以上のようなこの発明の構成によれば、音信号処理装置において、低コストで、異なる複数の箇所の信号を同時にモニタすることができる。
【図面の簡単な説明】
【００１３】
【図１】この発明の一実施形態である音信号処理装置のハードウェア構成を示すブロック図である。
【図２】図１に示したＤＳＰで実行される信号処理の構成をより詳細に示す図である。
【図３】図２に示した入力ｃｈの概略構成を示す図である。
【図４】図１に示した音信号処理装置の操作パネルの概略構成を示す図である。
【図５】図１に示した外部コントローラに表示される操作画面の例を示す図である。
【図６】キュー設定画面の表示例を示す図である。
【図７】キューモードが選択された状態のキュー設定画面の表示例を示す図である。
【図８】キュー出力設定画面の表示例を示す図である。
【図９】図１に示した音信号処理装置のＣＰＵが、出力先の設定操作がなされた場合に実行する処理のフローチャートである。
【図１０】同じく、キュー追加設定ボタンの操作を検出した場合の処理のフローチャートである。
【図１１】同じく、キューキー又はキューボタンの操作を検出した場合の処理のフローチャートである。
【図１２】図１１の続きの処理のフローチャートである。
【図１３】変形例における図１１と対応する処理のフローチャートである。
【図１４】図１３の続きの処理のフローチャートである。
【発明を実施するための形態】
【００１４】
以下、この発明を実施するための形態を図面に基づいて具体的に説明する。
まず、この発明の一実施形態である音信号処理装置について説明する。
図１は、その音信号処理装置のハードウェア構成を示すブロック図である。
【００１５】
図１に示す音信号処理装置１０は、ＣＰＵ１１、フラッシュメモリ１２、ＲＡＭ１３、外部機器Ｉ／Ｏ１４、表示器１５、操作子１６、波形入出力部（Ｉ／Ｏ）１７、信号処理部（ＤＳＰ）１８を備え、これらがシステムバス１９によって接続されている。このような音信号処理装置１０は、例えばデジタルミキサとして構成することができる。しかし、これには限られず、複数のチャンネルで処理した音信号をミキシングする任意の装置として構成できる。
【００１６】
図１の構成のうち、ＣＰＵ１１は、音信号処理装置１０の全体の動作を制御する制御手段であり、フラッシュメモリ１２に記憶された所要のプログラムを実行して所要のハードウェアを制御することにより、表示器１５における表示の制御、操作子１６に対する操作の検出、ＤＳＰ１８における音信号処理の制御等の種々の機能を実現する。
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
【００１７】
外部機器Ｉ／Ｏ１４は、種々の外部機器を接続し入出力を行うためのインタフェースである。例えば、ネットワーク４０を介して外部コントローラ３０と通信を行うためのインタフェースが用意される。外部コントローラ３０は、音信号処理装置１０を外部から操作するためのリモート制御装置であり、例えば携帯型のＰＣ（パーソナルコンピュータ）やタブレット型コンピュータ、スマートフォン等に、所要のアプリケーションプログラムを実行させてリモート制御機能を実現させたものである。あるいは、専用のコントローラであってもよい。また、ネットワーク４０は、有線でも無線でも構わない。また、ピアツーピア通信によるものであることも妨げられない。
また、外部機器Ｉ／Ｏ１４として、上記の他、外部のディスプレイ、マウス、文字入力用のキーボード、操作パネル、可搬性記録媒体等を接続するためのインタフェースを用意してもよい。
【００１８】
表示器１５は、液晶ディスプレイ（ＬＣＤ）、ランプ等により構成され、ユーザに対し、音信号処理装置１０の動作状態や設定状態に関する情報を表示するための表示手段である。
操作子１６は、音信号処理装置１０に対する操作を受け付けるための操作手段であり、種々のキー、ボタン、ロータリーエンコーダ、スライダ、表示器１５であるＬＣＤに積層したタッチパネル等により構成できる。
なお、外部コントローラ３０により音信号処理装置１０を制御できればよい場合には、表示器１５や操作子１６を設けないか、または極めて簡素なものとすることも考えられる。
【００１９】
波形Ｉ／Ｏ１７は、ＤＳＰ１８で処理すべき音信号の入力を受け付け、また処理後の音信号を出力するためのインタフェースである。
ＤＳＰ１８は、信号処理回路を含み、波形Ｉ／Ｏ１７から入力する音信号に対し、カレントデータとして設定されている各種処理パラメータに従って、ミキシング、イコライジング等の各種信号処理を施して波形Ｉ／Ｏ１７に出力する信号処理手段である。この処理に用いるパラメータを含むカレントデータは、ＲＡＭ１３上あるいはＤＳＰ１８自身に備えるメモリ上に設けられたメモリに記憶されており、ユーザは、表示器１５及び操作子１６を用いて、そのパラメータの値を確認したり、変更したりすることができる。
【００２０】
次に、図２に、図１に示したＤＳＰ１８で実行される信号処理の構成をより詳細に示す。
この図に示すように、ＤＳＰ１８での信号処理は、入力パッチ１１０、入力ｃｈ１２０−１〜１２８、ミキシングバス１３０、出力ｃｈ１４０−１〜９６、マトリクスバス１５０、マトリクス出力ｃｈ１６０−１〜８、キューバス１７０、キュー出力ｃｈ１８０、出力パッチ１９０を有する。
【００２１】
そして、ＤＳＰ１８においては、入力パッチ１１０により、１２０−１から１２０−１２８まで１２８ｃｈある入力ｃｈ１２０（個体を特定する必要がない場合には「−」以降のない符号を用いる。他の符号についても同様。）にそれぞれ、波形Ｉ／Ｏ１７の入力端子と対応するように用意されたアナログ入力部及びデジタル入力部の入力ポートのいずれかをパッチ（結線）することができる。
【００２２】
各入力ｃｈ１２０では、図３に示すように、そのパッチされた入力ポートから入力する信号に対してアッテネータ１２１、イコライザ１２２、およびフェーダ１２３の信号処理要素により信号処理を行った後、９６系統あるミキシングバス１３０のうちの任意のバスに対して処理後の信号を出力する。もちろん、これら以外の信号処理要素を設けてもよい。図２では、図示の都合上、入力ｃｈ１２０からミキシングバス１３０の各系統への出力を１本の線で示しているが、この出力については、入力ｃｈ１２０とミキシングバス１３０の組み合わせ毎にオンオフ設定及びレベル調整を行うことが可能である。マトリクスバス１５０及びキューバス１７０への出力については後述する。
【００２３】
次に、ミキシングバス１３０では、各入力ｃｈ１２０から入力する信号をミキシングし、各ミキシングバス１３０と対応して１４０−１から１４０−９６まで９６ｃｈ設けられた出力ｃｈ１４０に出力する。そして、各出力ｃｈ１４０では、対応するミキシングバス１３０から入力する信号に対して入力ｃｈ１２０の場合と同様にイコライザ、コンプレッサ、フェーダ等により信号処理を行う。ただし、信号処理要素の種類や順序は入力ｃｈ１２０と同じでなくてもよい。
【００２４】
次に、マトリクスバス１５０は、８系統が設けられ、入力ｃｈ１２０−１〜１２８及び出力ｃｈ１４０−１〜９６から任意に選択したｃｈの信号を入力してミキシングすることができる。従って、各入力ｃｈ１２０及び各出力ｃｈ１４０は、各マトリクスバス１５０への信号出力も行う。この出力は、各ｃｈ１２０，１４０とマトリクスバス１５０の組み合わせ毎にオンオフ設定及びレベル調整を行うことが可能である。
【００２５】
また、マトリクスバス１５０でミキシングした信号は、マトリクスバス１５０の各系統と対応して１６０−１から１６０−８まで８ｃｈ設けられたマトリクス出力ｃｈ１６０に出力する。そして、各マトリクス出力ｃｈ１６０では、対応するマトリクスバス１５０から入力する信号に対してイコライザ、コンプレッサ等により、出力ｃｈ１４０と同様な信号処理を行う。
【００２６】
なお、マトリクスバス１５０のうち７番目の第７マトリクスバス１５０−７と、第８マトリクスバス１５０−８へは、１番目から６番目のマトリクス出力ｃｈ１６０−１〜６からの信号出力を可能としている。これらの各出力も、オンオフ設定及びレベル調整を個別に行うことができる。この出力は、第７マトリクスバス１５０−７と第８マトリクスバス１５０−８を第２のキューバスとして用いるために設けたものであるが、この点については後述する。
【００２７】
次に、キューバス１７０は、ＬＲの２系統を有するステレオバスであり、モニタ用の信号を生成するためのバスである。このため、各入力ｃｈ１２０、各出力ｃｈ１４０及び各マトリクス出力ｃｈ１６０は、キューバス１７０への信号出力路を備え、それらの信号出力のオンオフ設定及びレベル調整を個別に行うことができるようにしている。キューバス１７０でミキシングした信号は、キュー出力ｃｈ１８０に出力する。そして、キュー出力ｃｈ１８０において、レベル調整等の簡単な信号処理を行う。キューバス１７０は、各ｃｈで処理されている信号をモニタするために設けているため、ここで生成したモニタ用信号に対しては、出力ｃｈ１４０におけるような多彩な信号処理を加える必要はないためである。しかし、出力ｃｈ１４０と同様な信号処理を行えるようにすることも妨げられない。
【００２８】
また、各出力ｃｈ１４０、各マトリクス出力ｃｈ１６０及びキュー出力ｃｈ１８０の出力は、出力パッチ１９０に供給される。そして、出力パッチ１９０により、これらの各種出力ｃｈを、波形Ｉ／Ｏ１７に出力端子と対応するように用意されたアナログ出力部及びデジタル出力部の出力ポートにパッチし、出力ｃｈによる処理後の信号をパッチ先の出力ポートに供給してそこから出力させる。
【００２９】
キュー出力ｃｈ１８０については、所定のモニタ出力端子に固定でパッチするか、出力パッチを介さずに出力するようにしてもよい。
ＤＳＰ１８に設けるこれらの各部による信号処理は、メモリに記憶されている各パラメータの現在の設定値（カレントデータ）に基づいて制御される。これらのパラメータの値は、操作パネル２００上の操作子により、ｃｈその他の信号処理要素毎に調整可能である。また、各部の機能は、ソフトウェアによって実現してもハードウェアによって実現してもよい。
【００３０】
音信号処理装置１０においてキューバス１７０及びキュー出力ｃｈ１８０を設けたことにより、オペレータは、各入力ｃｈ１２０、出力ｃｈ１４０及びマトリクス出力ｃｈ１６０からバスあるいは出力パッチ１９０に出力する信号に影響を与えることなく、任意のｃｈの信号をモニタすることができる。モニタの対象とするｃｈの選択方法や、ｃｈ中のどの位置の信号をモニタするのかについては、後述する。
【００３１】
次に、図４に、音信号処理装置１０の操作パネルの概略構成を示す。
図４に示すように音信号処理装置１０の操作パネル２００は、ｃｈストリップ部２０１、ディスプレイ２３０、ロータリーエンコーダ２４０、スイッチ群２５０を備えている。
ｃｈストリップ部２０１は、１６のｃｈストリップ２１０を備え、各ｃｈストリップ２１０には、レイヤ等を用いて入力ｃｈ１２０、出力ｃｈ１４０、マトリクス出力ｃｈ１６０等の信号処理ｃｈを操作対象として割り当て、そのｃｈストリップ２１０に含まれる各操作子を、その割り当てたｃｈに関する操作を行うための操作子として用いることができる。なお、ＤＣＡグループ等の、ｃｈのグループを割り当てることができるようにしてもよい。
【００３２】
また、各ｃｈストリップ２１０は、ロータリーエンコーダ２１１、キューキー２１２、選択キー２１３、オンキー２１４、フェーダ２１５を備える。
これらのうちロータリーエンコーダ２１１は、ｃｈに含まれるパラメータを割り当て、その割り当てられたパラメータの値を調整するために用いる操作子である。
キューキー２１２は、ｃｈをモニタの対象とする（該当ｃｈからキューバス１７０へ信号を出力する）指示を行うためのキュー操作子である。キューキー２１２の操作に応じたモニタ対象のｃｈの選択方法は、ｃｈ毎のトグルでのオンオフ切り替え、後着優先など、種々の方法が考えられる。この点については後述する。
【００３３】
選択キー２１３は、ｃｈを選択するための操作子である。
オンキー２１４は、ｃｈからの音信号送出のオンオフを定めるパラメータをトグルで調整するための操作子である。
フェーダ２１５は、つまみ２１５ａの操作によりｃｈのフェーダパラメータの値を調整するための操作子である。
【００３４】
次に、ディスプレイ２３０は、ＧＵＩ（グラフィカルユーザインタフェース）画面を表示し、パラメータの値の設定や、操作子へのパラメータの割り当て等を含む各種操作を受け付けたり、音信号処理装置１０の動作状態あるいは現在設定されているパラメータの値を表示したりするための表示手段及び操作手段である。ディスプレイ２３０に、モニタ（キュー機能）に関する設定の状態や、その設定を受け付けるための画面を表示させることもできる。
【００３５】
ロータリーエンコーダ２４０は、ここまでに説明してきたものも含む任意のパラメータを割り当てて、そのパラメータを調整に用いることができる操作子である。
スイッチ群２５０は、レイヤの選択を含む種々の機能を備えるスイッチが配置された箇所である。
【００３６】
次に、図５に、外部コントローラ３０に表示される操作画面の例を示す。
外部コントローラ３０には、そのディスプレイ３００に、音信号処理装置１０に対する操作を受け付けるためのＧＵＩ画面が表示され、ユーザはそのＧＵＩ画面を操作して、音信号処理装置１０に対する操作を行うことができる。
【００３７】
図５には、各ｃｈに対する操作を受け付けるための画面の例を示した。
図５の画面では、ｃｈストリップ部２０１をディスプレイ３００に表示させると共に、図４のディスプレイ２３０に相当する詳細表示部２０３も表示させている。この画面においても、ｃｈストリップ部２０１の各ｃｈストリップ２１０に、操作パネル２００の場合と同様にｃｈを割り当て、各ｃｈストリップ２１０を、その割り当てたｃｈに関する操作を行うための操作部として用いることができる。この操作には、キュー操作子の操作により、割り当てたｃｈをモニタの対象とする指示を行うことが含まれる。
【００３８】
以上の音信号処理装置１０において特徴的な点は、キューバス１７０以外のバスを、一時的に追加のキューバスとして用いることができるようにした点である。以下、この点について詳細に説明する。なお、この実施形態では、第７マトリクスバス１５０−７と第８マトリクスバス１５０−８を、追加の（第２の）キューバスとして用いる例について説明するが、追加のキューバスとできるバスは、これには限られない。
【００３９】
音信号処理装置１０において、第７マトリクスバス１５０−７と第８マトリクスバス１５０−８は、マトリクスミキサの機能を実現するためのマトリクスバスとして動作させることが可能である（第１モードである通常モードの動作）。また、これに加え、ユーザの操作に応じて、モニタ出力の系統を追加するためのステレオのキューバスとしての動作（第２モードであるキューモードの動作）に切り替えることができる。
【００４０】
図６及び図７に、この切り替えの操作及びキュー機能に関する設定を受け付けるための画面を示す。図６に示すのが、第７マトリクスバス１５０−７及び第８マトリクスバス１５０−８が通常モードである場合の例（追加キューバス無効）で、図７に示すのが、キューモードである場合の例（追加キューバス有効）である。
図６及び図７に示すキュー設定画面４００は、操作パネル２００のディスプレイ２３０あるいは外部コントローラ３０のディスプレイ３００に表示される、キュー機能に関する設定を受け付けるためのＧＵＩ画面である。
【００４１】
キュー設定画面４００には、キュー追加設定ボタン４０１が設けられており、ユーザは、このボタンを操作することにより、第７マトリクスバス１５０−７及び第８マトリクスバス１５０−８を通常モードとするかキューモードとするかを、トグルで切り替えることができる。
また、選択方法設定ボタン４０２として、モニタ対象のｃｈの選択方法を、「ＭＩＸ  ＣＵＥ」と「ＬＡＳＴ  ＣＵＥ」とから選択するための操作子も設けている。「ＭＩＸ  ＣＵＥ」は、ｃｈ毎にトグルでモニタオンオフを切り替え、複数がオンとなった場合にはそれらのｃｈの出力をミキシングしてモニタ用信号とするモードである。「ＬＡＳＴ  ＣＵＥ」は、後着優先でモニタ対象を選択し、最大１つのｃｈの出力をモニタ用信号とするモードである。
【００４２】
さらに、出力選択部４０３として、モニタ対象のｃｈのどの位置から取り出した信号をモニタするか（キューバスへ出力するか）を選択するための操作子を設けている。出力選択部４０３では、フェーダの前を示す「ＰＦＬ」と、フェーダ１２３の後を示す「ＡＦＬ」のいずれかを選択可能であり、各選択肢と対応する信号の出力位置は、一例として図３に示した通りである。「ＰＦＬ」を選択すると、モニタ対象ｃｈでのレベル調整前の信号をモニタすることができ、該当ｃｈの信号のレベルをフェーダ１２３により絞っている場合でも、該当ｃｈで処理されている信号を確認できる。「ＡＦＬ」を選択すると、実際にモニタ対象ｃｈからミキシングや出力に供されている信号を確認できる。
【００４３】
また、キュー追加設定ボタン４０１によりキューモードが選択された状態では、図７に示すように、キュー設定画面４００にキューＢ設定部４１０が用意され、こちらで、追加のキューバスに関する設定を行うことができる。キューＢ設定部４１０で設定可能な項目は、通常モードの状態におけるキュー設定画面４００で設定可能な項目と概ね同様である。しかし、追加キューバスによるキュー機能を、固定のキューバス１７０によるキュー機能と異なるものにする場合、設定可能な項目も、それに応じて異なったものとなる。
【００４４】
図６及び図７の例では、追加キューバスによるキュー機能を、固定のキューバス１７０によるキュー機能との差の一例として、バイパス設定ボタン４１４によるバイパスの設定が挙げられる。
ここで、マトリクスバス１５０の出力は、マトリクス出力ｃｈ１６０を介して出力パッチ１９０に供給され、キュー出力ｃｈ１８０を通るキューバス１７０の出力よりも、多彩な信号処理が可能である。上記のバイパスは、マトリクス出力ｃｈ１６０のうち、キュー出力ｃｈ１８０にない信号処理機能を無効化し、マトリクスバス１５０でミキシングしたモニタ用信号を、キューバス１７０でミキシングした場合と同様な信号処理を経て出力できるようにする機能である。マトリクス出力ｃｈ１６０の機能を活用して多彩な信号処理を行った上でモニタ用信号を出力したい場合には、バイパスをオフにすればよい。
【００４５】
また、選択方法設定ボタン４１２はキューＢ設定部４１０側にも用意され、モニタ対象のｃｈの選択方法は、固定のキューバス１７０と追加のキューバスとについて独立に設定可能である。しかし、これらの設定をリンクすることも可能であり、モードリンク設定ボタン４１３により、そのリンクのオンオフを切り替えることができるようにしている。
これらの画面でなされた設定は、ＣＰＵ１１がフラッシュメモリ１２あるいはＲＡＭ１３に保存する。
【００４６】
次に、キュー出力先の設定について説明する。
音信号処理装置１０においては、入力ｃｈ１２０、出力ｃｈ１４０、マトリクス出力ｃｈ１６０等の、モニタの対象となるｃｈ毎に、追加のキューバスを有効とした場合に、当該ｃｈの信号を、固定のキューバス（Ａ）と追加のキューバス（Ｂ）のどちらを用いてモニタするかを設定できるようにしている。この設定は、該当のｃｈがモニタの対象として選択された場合に働く設定である。なお、モニタの対象として選択できるものは、ＤＣＡグループ等、ｃｈ以外である場合もあるが、説明を簡単にするため、ここでは便宜上、モニタの対象として選択できるものを全て「ｃｈ」という言葉で表すものとする。
【００４７】
図８に、この設定のための画面の例を示す。
図８に示すのは、第１入力ｃｈ１２０−１に関するキュー出力先の設定を受け付けるためのキュー出力設定画面５００である。この画面には、固定のキューバスへの出力オンオフを切り替えるためのキューＡ選択ボタン５０１と、追加のキューバスへの出力オンオフを切り替えるためのキューＢ選択ボタン５０２とが設けられている。両ボタンはトグルでオンオフを切り替え可能であるが、両ボタンを同時にオフにすることはできない。
【００４８】
すなわち、キュー出力先としては、固定のキューバスのみ（Ａ）、追加のキューバスのみ（Ｂ）、両方（Ａ＋Ｂ）の３通りが設定可能である。
このキュー出力設定画面５００において出力先の設定操作がなされた場合、ＣＰＵ１１は、図９の処理を実行し、ｃｈ毎のキュー出力先を設定する（Ｓ１）。この図９の処理は、第１設定手順の処理である。
【００４９】
次に、追加のキューバスに関する制御を行うためにＣＰＵ１１が実行する処理について説明する。
まず図１０に、図６及び図７に示したキュー追加設定ボタンの操作を検出した場合の処理のフローチャートを示す。キュー追加設定ボタンの操作を受け付ける処理が、受付手順の処理であり、図１０の処理は、追加のキューバスを有効又は無効にするための、切替手順の処理である。
【００５０】
ＣＰＵ１１は、キュー追加設定ボタン４０１の操作を検出すると、図１０のフローチャートに示す処理を開始する。
この処理において、ＣＰＵ１１はまず、第７、第８マトリクスバス１５０−７，８のモードを、通常モードとキューモードとをトグルで切り替える（Ｓ１１）。そして、ステップＳ１２以降で、切り替え後のモードに応じた処理を行う。
【００５１】
切り替え後のモードがキューモードである場合、ＣＰＵ１１は、操作されたキュー追加設定ボタン４０１を点灯させる（Ｓ１３）と共に、キューＢ設定部４１０をキュー設定画面４００に表示させる（Ｓ１４）。そして、通常モードにおける、各ｃｈから第７、第８マトリクスバス１５０−７，８への送出設定を、メモリの所定の記憶領域に退避させる（Ｓ１５）。この送出設定は、第７、第８マトリクスバス１５０−７，８をマトリクスバスとして使用する場合における、各ｃｈからこれらのバスへの信号送出オンオフ及び送出レベル等のパラメータの、現在の信号処理に反映されるカレントメモリにおける値である。
【００５２】
次に、ＣＰＵ１１は、各ｃｈから第７、第８マトリクスバス１５０−７，８への信号送出をオフ、送出レベルを０ｄＢに設定する（Ｓ１６）。この設定は、カレントメモリに対して行う。
【００５３】
ここで、通常モードでは、第７、第８マトリクスバス１５０−７，８への信号送出有無やその送出レベルは、ステップＳ１５で退避させた、各ｃｈから第７、第８マトリクスバス１５０−７，８へ信号送出有無や送出レベルについてユーザが設定したパラメータの値に従って制御する。そして、キューキー２１２及びキューボタンの操作や、キューに関する設定は、第７、第８マトリクスバス１５０−７，８への信号送出有無やその送出レベルには影響を与えない。
【００５４】
しかし、キューモードでは、第７、第８マトリクスバス１５０−７，８への信号送出有無やその送出レベルは、キューに関する設定に従って制御する。例えば、モニタ対象として選択されているｃｈから第７、第８マトリクスバス１５０−７，８への信号送出をオンにし、他のｃｈからこれらのバスへの信号送出はオフにする、等である。ステップＳ１６の処理は、その初期値として、信号を送出せず、また信号を変化させない設定を行うものである。
また、ＣＰＵ１１は、出力パッチ１９０の設定を、第７、第８マトリクス出力ｃｈ１６０−７，８の信号が追加のキューバスからの信号出力先として設定されている出力ポートに出力されるように変更する（Ｓ１７）。この出力先は、キューＢ設定部４１０にて設定可能である。
【００５５】
ステップＳ１７の後、ＣＰＵ１１は、音信号処理装置１０が備える（モニタの対象となり得る）各ｃｈを処理対象として、ステップＳ１８〜Ｓ２０の処理をくり返す。すなわち、モニタの対象となっているｃｈについて（Ｓ１８）、そのｃｈのキュー出力先に追加のキューバス（Ｂ）が含まれていれば（Ｓ１９）、そのｃｈから第７、第８マトリクスバス１５０−７，８への信号送出をオンに設定する（Ｓ２０）。その他のｃｈについては、信号送出がオフのままである。これらのステップＳ１８〜Ｓ２０の処理は出力制御手順の処理である。
なお、ステップＳ２０において、モニタ用ステレオ信号の音像定位について設定がなされていれば、該当ｃｈから両バスへの出力レベルを、その音像定位に従って設定するとよい。以後の固定あるいは追加のキューバスへの信号送出の設定においても、特に断らない限り同様とする。
【００５６】
以上の処理により、追加のキューバスを有効にする操作に応じて、既になされているキュー機能の設定に従い、追加のキューバスを用いたモニタ用信号の出力を開始することができる。
【００５７】
一方、ステップＳ１２で切り替え後のモードが通常モードであれば、ＣＰＵ１１は、操作されたキュー追加設定ボタン４０１を消灯させる（Ｓ２１）と共に、キューＢ設定部４１０をキュー設定画面４００から消去する（Ｓ２２）。そして、ステップＳ１５で退避させた、通常モードにおける、各ｃｈから第７、第８マトリクスバス１５０−７，８への送出設定を、カレントメモリに復帰させて（Ｓ２３）、処理を終了する。この復帰には、出力パッチ１９０の設定も含む。
【００５８】
以上の処理により、追加のキューバスを無効にする操作に応じて、第７、第８マトリクスバス１５０−７，８の動作を、マトリクスバスとしての動作に復帰させることができる。また、この場合において、追加のキューバスを有効にした時点の設定に従った動作を行わせることができる。
【００５９】
次に、図１１及び図１２に、図４及び図５に示したキューキー２１２又はキューボタンの操作を検出した場合の処理のフローチャートを示す。この処理は、モニタの対象とするｃｈを変更するための処理であり、出力制御手順の処理である。また、ここでは、操作パネル２００のキューキー２１２が操作されたか、外部コントローラ３０でキューボタンが操作されたかを区別する必要はない。これらを区別して行う処理については変形例で説明する。
【００６０】
ＣＰＵ１１は、キューキー２１２又はキューボタンの操作を検出すると、図１１のフローチャートに示す処理を開始する。なお、ここでは、固定のキューバスについても追加のキューバスについても、モニタ対象ｃｈの選択方法として「ＬＡＳＴ  ＣＵＥ」が選択されているとする。
図１１の処理において、ＣＰＵ１１はまず、操作されたキューキー２１２又はキューボタンと対応するｃｈ（キューキー２１２又はキューボタンが属するｃｈストリップ２１０に操作対象として割り当てられているｃｈであり、ここではｃｈＸとする）がモニタ対象となっているか否か判断する（Ｓ３１）。
【００６１】
ここでＮｏであれば、ＣＰＵ１１は、ｃｈＸを新たにモニタ対象として選択とする（Ｓ３２）。次に、ＣＰＵ１１は、第７，第８マトリクスバス１５０−７，８のモードを確認する（Ｓ３３）。そして、通常モードであれば、キューバス１７０のみを用いてモニタを行うため、ｃｈＸからキューバス１７０への信号送出をオンに設定する（Ｓ３４）。
【００６２】
ステップＳ３３でキューモードである場合、追加のキューバスへの出力も考慮する必要がある。そこで、ＣＰＵ１１は、ｃｈＸについて図９の処理で設定されたキュー出力先を参照する（Ｓ３５）。これがＡのみであれば、ステップＳ３４と同じ設定を行えばよい。Ｂのみであれば、ｃｈＸから第７，第８マトリクスバス１５０−７，８への信号送出をオンに設定する（Ｓ３６）。また、ＡとＢの両方であれば、ｃｈＸから、キューバス１７０及び第７，第８マトリクスバス１５０−７，８への信号送出をオンに設定する（Ｓ３７）。
ここまでの処理により、ｃｈＸの信号を、キュー出力先の設定に従った出力先にてモニタできるようになる。
【００６３】
次に、ＣＰＵ１１は、「ＬＡＳＴ  ＣＵＥ」の設定に従い、以前に選択されたモニタ対象のｃｈを、モニタ対象から外す処理を行う。
すなわち、ＣＰＵ１１は、ｃｈＸ以外でモニタ対象となっているｃｈを探索する（Ｓ３８）。発見されたｃｈがあれば、それをｃｈＹとする。そして、ｃｈＹがあれば（Ｓ３９）、そのｃｈＹをモニタ対象から外すと共に（Ｓ４０）、そのｃｈＹからキューバスへの信号送出をオフに設定する（Ｓ４１〜Ｓ４３）。ここで、第７，第８マトリクスバス１５０−７，８がキューモードであれば、キューバス１７０及び第７，第８マトリクスバス１５０−７，８に対する信号送出をオフに設定する（Ｓ４２）。しかし、通常モードであれば、キューバス１７０に対する信号送出のみをオフに設定する（Ｓ４３）。この場合に第７，第８マトリクスバス１５０−７，８に対する信号送出の設定を変更してしまうと、マトリクスバスとしての動作に影響を与えてしまうためである。
【００６４】
以上の処理により、「ＬＡＳＴ  ＣＵＥ」の設定に従い、１つのみのｃｈがモニタ対象となる状態を維持することができる。
また、ステップＳ３１でＹｅｓの場合、処理は図１２に示す部分に進む。この場合には、ｃｈＸをモニタ対象から外す処理を行う。ｃｈＸをモニタ対象とするか否かを、トグルで切り替えられるようにするためである。
図１２のステップＳ４４〜Ｓ４７の処理は、ｃｈがｃｈＸである点以外は、図１１のステップＳ４０〜Ｓ４３の処理と同じものである。
【００６５】
以上説明してきた音信号処理装置１０では、ユーザの操作に応じて、第７、第８マトリクスバス１５０−７，８を一時的にキューバスとして機能させ、モニタ出力の系統数を増やすことができる。したがって、キューバスを増設することなく、低コストで、異なる複数の箇所の信号を同時にモニタできるようにすることができる。
したがって、２種類の信号を同時モニタしたいという要望や、モニタ対象を選択し直すことなく、２種類の信号を切り替えながらモニタしたいという要望にも、応えることができる。後者については、固定のキューバスからの出力をモニタ用端子に出力するか、追加のキューバスからの出力をモニタ用端子に出力するかを切り替えれば、各バスでミキシングしたモニタ用信号を任意に切り替えながらモニタすることができる。
【００６６】
また、各ｃｈについて、固定のキューバスと追加のキューバスのどちら（又は両方）を用いてモニタを行うかを設定できるようにしているため、２系統のモニタ出力の使い分けを、効率的に行うことができる。
なお、第７、第８マトリクスバス１５０−７，８をキューバスとして用いると、マトリクスバスの数は減ってしまうが、マトリクスバスを全て用いるケースはさほど多くないため、ユーザのニーズに応じて機能を切り替えられれば、さほど利便性が低下することはない。
【００６７】
〔変形例〕
以上で実施形態の説明を終了するが、装置の具体的な構成、バスやｃｈの数及び種類、操作パネルや画面の構成、具体的な処理の手順などが、上述の実施形態で説明したものに限られないことはもちろんである。
例えば、キューキーの操作が、音信号処理装置１０本体の操作パネル２００でなされたか、外部コントローラ３０からリモートでなされたかによって、モニタ用信号の出力先を自動で切り替えるようにすることも考えられる。
【００６８】
図１３及び図１４に、このようにする場合の、図１１と対応する処理のフローチャートを示す。図１３及び図１４において、図１１と共通する処理には同じステップ番号を付した。また、図１３及び図１４の処理では、ｃｈ毎のキュー出力先設定は無効とする。また、この例では、モニタ対象ｃｈの選択方法は「ＭＩＸ  ＣＵＥ」であるとする。
【００６９】
図１３の処理において、ＣＰＵ１１はまず、今回検出したキューキー又はキューボタンの操作が本体とリモートのどちらでなされたかを判断する（ＳＡ）。そして、これが本体であれば、ステップＳ３１′以下の処理に進む。この処理は、ステップＳ３１′で、操作されたものがキューキー２１２であり、ステップＳＢで参照する設定が、本体の操作パネル２００のキューキー２１２が操作された場合のキュー出力先の設定である点を除けば、図１１のステップＳ３１乃至Ｓ３７及び図１２の処理と同じものである（ステップＳ３１でＹｅｓの場合の処理は図１２と共通であるので、図示を省略した）。
【００７０】
また、ステップＳＡでリモートであれば、図１４に示す処理に進む。こちらも、ステップＳ３１″で、操作されたものがキューボタンであり、ステップＳＣで参照する設定が、外部コントローラ３０からのリモート操作によりキューボタンが操作された場合のキュー出力先の設定である点を除けば、図１１のステップＳ３１乃至Ｓ３７及び図１２の処理と同じである。
「ＭＩＸ  ＣＵＥ」の場合、他のｃｈをモニタ対象から外す処理は不要であるので、いずれの場合も、ステップＳ３７までで処理は終了する。
【００７１】
以上の構成によれば、本体の操作パネル２００と、外部コントローラ３０とを別々のオペレータが操作する場合に、各自が自身が選択したｃｈの信号を容易にモニタすることができる。例えば、本体から操作された場合は固定のキューバスへ、リモートから操作された場合は追加のキューバスへ、モニタ対象のｃｈの信号を出力するようにし、各バスからの音信号を、各オペレータが使用するモニタ用のスピーカやイヤホン等に出力する等すればよい。
【００７２】
また、以上の他、追加のキューバスとして使用できるバスは、マトリクスバスには限られない。上述した実施形態でマトリクスバスを利用しているのは、マトリクスバスへは、その機能から、多くのｃｈからの信号送出経路を用意する必要があり、その信号送出経路を利用して、比較的小さい改変により、キューバスとして利用できるようにすることが可能であるためである。
【００７３】
すなわち、マトリクスバスは、入力ｃｈの信号と、入力ｃｈの信号をミキシングバスでミキシングした後の出力ｃｈの信号とをミキシングできるバスとして設けることが通常である。したがって、入力ｃｈや出力ｃｈをはじめとする種々の箇所の信号を選択的に入力できることが望まれるキューバスと、機能面での共通点が大きい。
【００７４】
しかし、マトリクスバス以外でも、同様な機能を持つバスがあれば、同様に、容易にキューバスとして機能させることができる。例えば、図２のミキシングバス１３０に対して、出力ｃｈ１４０から、出力パッチ１９０を経ることなく直接信号を送出する経路がある場合には、ミキシングバス１３０の一部を同様にキューバスとして用いることが考えられる。例えば、マトリクス出力ｃｈ１６０からの信号送出経路がないといった場合であっても、追加のキューバスでは該当のｃｈの信号はモニタできないといった制約を設けて、追加のキューバスとして用いることは可能である。
【００７５】
また、上述した実施形態では、追加のキューバスを１系統のみとしていたが、これを複数系統設けることができるようにしてもよい。例えば、第５、第６マトリクスバス１５０−５，６を、２系統目の追加のキューバスとして用いることが考えられる。もちろん、３系統以上の追加のキューバスを設けることができるようにしてもよい。この場合、各系統の追加のキューバスについて、通常モードとキューモードのどちらで動作させるかを、独立して選択できるようにすることが望ましい。
このようにすれば、低コストで、キュー機能に関する利便性をさらに向上させることができる。
【００７６】
また、この発明において、音信号処理装置１０が固定のキューバス１７０を備えることは必須ではない。キュー機能の全てを、上述した実施形態における「追加の」キューバスにより賄うことも考えられる。
また、上述の実施形態では、キューバス１７０がステレオバスである例について説明した。そして、追加のキューバスもステレオバスとするため、２本のマトリクスバス１５０を１組として、追加のキューバスとして用いた。しかし、このようにすることは必須ではなく、モノラルの追加のキューバスを、１本のマトリクスバス１５０を用いて設けることも考えられる。５．１ｃｈの追加のキューバスを６本のマトリクスバス１５０を１組として用いて設けるなども可能であり、ｃｈ数に制約はない。また、固定のキューバスと追加のキューバスとで、ｃｈ数が一致している必要もない。
【００７７】
以上の他、キュー出力先につき、図８の画面で行うｃｈ毎の設定の他、これに優先して適用する、全ｃｈに共通な一時的な設定を行うことができるようにしてもよい。このようにすれば、ｃｈ毎の設定がある場合でも、一時的にそれに反しても特定のｃｈの信号を特定の出力先でモニタしたい、といった要求に応えることができる。
【００７８】
この発明の実施形態であるプログラムは、１のコンピュータに、または複数のコンピュータを協働させて音信号処理装置を制御させ、以上説明してきた固定の及び追加のキューバスに関する制御機能を実現させるためのプログラムである。
そして、このようなプログラムをコンピュータに実行させることにより、上述したような効果を得ることができる。
【００７９】
このようなプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、上述した各手順を実行させることができる。
【００８０】
さらに、ネットワークに接続され、プログラムを記録した記録媒体を備える外部装置あるいはプログラムを記憶手段に記憶した外部装置からダウンロードし、コンピュータにインストールして実行させることも可能である。
また、以上述べてきた構成及び変形例は、矛盾しない範囲で適宜組み合わせて適用することも可能である。
【産業上の利用可能性】
【００８１】
以上の説明から明らかなように、この発明によれば、低コストで、異なる複数の箇所の信号を同時にモニタすることができる音信号処理装置を提供することができる。
【符号の説明】
【００８２】
１０…音信号処理装置、１１…ＣＰＵ、１２…フラッシュメモリ、１３…ＲＡＭ、１４…外部機器Ｉ／Ｏ、１５…表示器、１６…操作子、１７…波形入出力部（Ｉ／Ｏ）、１８…信号処理部（ＤＳＰ）、１９…システムバス、３０…外部コントローラ、４０…ネットワーク、１１０…入力パッチ、１２０…入力ｃｈ、１２１…アッテネータ、１２２…イコライザ、１２３…フェーダ、１３０…ミキシングバス、１４０…出力ｃｈ、１５０…マトリクスバス、１６０…マトリクス出力ｃｈ、１７０…キューバス、１８０…キュー出力ｃｈ、１９０…出力パッチ、２００…操作パネル、２０１…ｃｈストリップ部、２０３…詳細表示部、２１０…ｃｈストリップ、２１１，２４０…ロータリーエンコーダ、２１２…キューキー、２１３…選択キー、２１４…オンキー、２１５…フェーダ、２１５ａ…つまみ、２３０，３００…ディスプレイ、２５０…スイッチ群、４００…キュー設定画面、４０１…キュー追加設定ボタン、４０２…選択方法設定ボタン、４０３…出力選択部、４１０…キューＢ設定部、４１２…選択方法設定ボタン、４１３…モードリンク設定ボタン、４１４…バイパス設定ボタン、５００…キュー出力設定画面、５０１…キューＡ選択ボタン、５０２…キューＢ選択ボタン
【図１】
2017188899.tif 000003
【図２】
2017188899.tif 000004
【図３】
2017188899.tif 000005
【図４】
2017188899.tif 000006
【図５】
2017188899.tif 000007
【図６】
2017188899.tif 000008
【図７】
2017188899.tif 000009
【図８】
2017188899.tif 000010
【図９】
2017188899.tif 000011
【図１０】
2017188899.tif 000012
【図１１】
2017188899.tif 000013
【図１２】
2017188899.tif 000014
【図１３】
2017188899.tif 000015
【図１４】
2017188899.tif 000016